(57)【要約】【課題】クッション性を有しながらも容易に製造できる肩パットを提供する。【解決手段】本発明のランドセル用肩パット１は、ランドセル６の肩ベルト６１を挿し通す筒状の肩パット１において、矩形状の本体生地２ａの両側方端部を沿い合わせながら表面側を接面させて筒状の本体部２としてあり、その縫製は、該側方端部からパット幅の略半分の位置に施してあり、パット内側に延長端部２２，２２が形成されるようにしてあることを特徴とするものである。【選択図】図１
2011182869.tif 000002
【特許請求の範囲】
【請求項１】
ランドセルの肩ベルトを挿し通す筒状の肩パットにおいて、矩形状の本体生地の両側方端部を沿い合わせながら表面側を接面させて上下方向に縫製して筒状の本体部としてあり、その縫製は、該側方端部からパット幅の略半分の位置に施してあるランドセル用肩パット。
【請求項２】
本体部の上方端部及び下方端部にゴム帯を周方向に取り付けてある請求項１に記載のランドセル用肩パット。
【請求項３】
矩形状の本体生地の両側方端部を沿い合わせながら表面側を接面させ、該側方端部から製造するパット幅の略半分の位置を上下方向に縫製し、これを裏返すランドセル用肩パットの製造方法。
【発明の詳細な説明】
【技術分野】
【０００１】
本発明は、ランドセルの肩ベルトを挿し通すランドセル用肩パットに関する。
【背景技術】
【０００２】
ランドセルを背負う場合、肩ベルトが肩を圧迫したり、擦れたりするため、肩に痛みを感じることがある。そこで、肩ベルトにクッション性を有する筒状の肩パットを取り付け、肩に対する圧迫を和らげることがある。
このような肩パットとしては、例えば、内側に肩ベルトを挿通させる態様で肩ベルトに着脱自在とした環状帯体であって、伸縮性を有する表側生地と、身体に接触する側に位置する通気性を有するクッション材からなるもの（下記特許文献１参照）、ランドセルのショルダーベルト上側部分を覆う筒状パッドで、その片面側に、肩部体形に形成したクッション材を配し、反対面側には、ポケット、ストラップ、反射材を配したもの（下記特許文献２参照）、カバー本体の表側生地は、四方に伸縮性を有する生地からなり、使用者の身体に接触する側の裏側生地は、通気性とクッション性を有する生地からなるもの（下記特許文献３参照）などがある。
【先行技術文献】
【特許文献】
【０００３】
【特許文献１】特開２００２−２８２０３０号公報
【特許文献２】特開２００２−３２５６１７号公報
【特許文献３】特開２００３−３８２２４号公報
【発明の概要】
【発明が解決しようとする課題】
【０００４】
上記特許文献１〜３に示す肩パッドは、表側に伸縮性のある生地などを用い、肩などに当たる裏面側にクッション性のある生地などを用いたものであり、表面と裏面との生地を相違させているため、これら生地の両端部側をそれぞれ縫製しなければならず、製造するのに手間のかかるものであった。
【０００５】
そこで、本発明の目的は、クッション性を有しながらも容易に製造できる肩パットを提供することにある。
【課題を解決するための手段】
【０００６】
本発明のランドセル用肩パットは、ランドセルの肩ベルトを挿し通す筒状の肩パットにおいて、矩形状の本体生地の両側方端部を沿い合わせながら表面側を接面させて上下方向に縫製して筒状の本体部としてあり、その縫製は、側方端部からパット幅の略半分の位置に施してあることを特徴とするものである。
【０００７】
本発明のランドセル用肩パットは、側方端部からパット幅の略半分の位置を上下方向に縫製して形成してあるため、その端部が肩パットの内部でパット裏面に重なり、パットの裏面側が二重になるため、クッション性を有するものになり、このように、少なくとも一箇所縫製すればよいため、製造が容易なものである。
【図面の簡単な説明】
【０００８】
【図１】本発明の一実施形態の肩パットの斜視図である。
【図２】図１の肩パットの断面図である。
【図３】図１の肩パットの製造方法の一例を示し、本体生地にゴム帯及び反射材を取り付ける状態を示した図である。
【図４】図１の肩パットの製造方法の一例を示し、上下方向に縫製する状態を示した図である。
【図５】図１の肩パットのランドセルに取り付けた状態を示した斜視図である。
【図６】図５のランドセルの肩パット部分の断面図である。
【発明を実施するための形態】
【０００９】
以下、本発明の肩パットを、一実施形態に基づいて説明する。
【００１０】
本発明の一実施形態の肩パット１は、図１に示すように、筒状に形成したものであり、図５に示すように、ランドセル６の肩ベルト６１を挿し通せるようにしてある。
【００１１】
本体部２は、図１又は図２などに示すように、矩形状の本体生地２ａを、その両側方端部を沿い合わせながら表面側を接面させ、該側方端部からパット幅の略半分の位置を上下方向に縫製して扁平筒状に形成してある。その縫製の縫い目２１よりもパット内側の部分を延長端部２２，２２としてあり、この延長端部２２は、それぞれ肩パット１の約半分の幅としてある。
本体生地２ａは、クッション性及び通気性があるものを好適に用いることができ、例えば、表面に、ポリエステルからなるメッシュ地、中間に、ポリエステルからなり、表裏連通した通気間隙を無数に有する織布乃至不織布などのクッション材、裏面に、ポリエステルからなるメッシュ地とした三層からなるものを用いることができる。
【００１２】
本体部２の上方端部及び下方端部にはゴム帯３が周方向に取り付けてあり、本体部２の端部処理をするとともに、肩ベルト６１に取り付けた際、肩ベルト６１を締め付けて肩パット１がずれにくいようにしてある。
ゴム帯３は、伸縮性があるものを好適に用いることができ、例えば、レーヨン及び生ゴムから形成されたものを用いることができる。
【００１３】
本体部２の下方端部には、本体部２とゴム帯３との間に反射材４が周方向に若干露出するように介在させてあり、これにより、ランドセル６の使用者の歩行時などの安全性を向上させることができる。
【００１４】
肩パット１の表面には、適宜形状のワッペン５を取り付けてもよく、これは縫製や接着などにより取り付けることができる。
【００１５】
以下、肩パット１の製造方法の一例を示す。
まず、図３に示すように、矩形状の本体生地２ａの表面側上方端部に、この生地２ａと略同幅のゴム帯３を、生地２ａの上方端部から突出するように若干上方にずらせて載せ、これらを縫合し、縫い目２３を設ける。
次に、生地２ａと略同幅の反射材４を長さ方向に二つ折りにし、その折り目を上方に向け、折り目とは反対側の長手端部を生地２ａの下方端部に沿わせて、生地２ａの表面に載せ、さらに、その上に、生地２ａと略同幅のゴム帯３を、反射材４の折り目付近を若干露出させながら、生地２ａの下方端部から突出するように若干下方にずらせて載せ、これらを縫合し、縫い目２４を設ける。
そして、図４に示すように、上下方向に二つ折りにし、生地２ａの両側方端部を沿い合わせながら表面側を接面させ、該側方端部から形成する肩パット１の幅の略半分の位置、つまり、該側方端部から生地２ａの幅の約１／６の位置を上下方向に縫製し、縫い目２１を設ける。
この後、これを裏返すことにより、パット内側に延長端部２２を有する肩パット１を製造することができる。
【００１６】
肩パット１は、図５又は図６に示すように、各延長端部２２をパット内側で広げるようにした状態で、ランドセル６の肩ベルト６１に挿し通して用いることができる。この際、肩パット１の裏面側は、図６に示すように、延長端部２２が本体部２の裏面と重なり二重になりクッション性が増し、ランドセル６を背負った際に、肩などを圧迫することを防止することができる。
また、肩パット１は、上記したように、少なくとも縫い目２１の箇所を縫製すれば製造できるため、容易に製造できるものである。
【００１７】
上記実施形態の構成態様は、本発明を限定するものとして挙げたものではなく、技術目的を共通にするかぎり変更は可能であり、本発明はそのような変更を含むものである。
【符号の説明】
【００１８】
１肩パット  ２本体部  ２ａ本体生地  ２１縫い目  ２２延長端部  ２３縫い目  ２４縫い目  ３ゴム帯  ４反射材  ５ワッペン  ６ランドセル  ６１肩ベルト
【図１】
2011182869.tif 000003
【図２】
2011182869.tif 000004
【図３】
2011182869.tif 000005
【図４】
2011182869.tif 000006
【図５】
2011182869.tif 000007
【図６】
2011182869.tif 000008
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
ランドセルの肩ベルトを挿し通す筒状の肩パットにおいて、矩形状の本体生地の両側方端部を沿い合わせながら表面側を接面させて上下方向に縫製して筒状の本体部としてあり、その縫製は、該側方端部からパット幅の略半分の位置に施し、本体部の上方端部及び下方端部には、ゴム帯を周方向に取り付けてあるランドセル用肩パット。
【請求項２】
矩形状の本体生地の両側方端部を沿い合わせながら表面側を接面させ、該側方端部から製造するパット幅の略半分の位置を上下方向に縫製し、これを裏返すランドセル用肩パットの製造方法。